(57)【特許請求の範囲】
【請求項１】
有底筒状の底部が一方の被着体の固定面に固定され前記底部から突出する筒部の先端縁から軸線に沿う方向で切り込み形成された複数のスリットにて複数分割形成されて前記筒部の外周に複数の係止部が形成されるオス部材と、
有底筒状の底部が他方の被着体の固定面に固定されるベース部と、該ベース部の内方であって該ベース部の筒状周壁に余裕を有して内方空間に収容されるとともに内周に凸条部が内周方向に連続して形成され前記オス部材の係止部が係止する環状のキャッチ部と、該キャッチ部の本体部の周方向の複数箇所から張り出して自由端となる先端が本対外周面から離間するように羽根状に形成されて前記筒状周壁の内周面に前記先端が弾接する弾性可撓片と、前記係止部を受け入れる内穴を備え前記ベース部に固定される環状のケース部と、を具備して、前記ベース部と前記ケース部とで前記キャッチ部を軸線に直交方向の変位を自在に保持するメス部材と、
を備えることを特徴とするパネル類の取付具。
【請求項２】
前記メス部材が、前記他方の被着体の固定面に面一となって埋め込まれることを特徴とする請求項１記載のパネル類の取付具。
【発明の詳細な説明】
【技術分野】
【０００１】
本発明は、パネル類の取付具に関する。
【背景技術】
【０００２】
素材の面同士を合わせ、互いを固定する取付具として、被服用スナップが知られている（例えば特許文献１）。この種の取付具は、オス部材とメス部材とで構成され、これら各部材が、それぞれの面部材である生地（布地）にカシメ付けられて、互いを嵌合させることで、生地同士を面同士で連結する。被服用スナップは、例えば、衣類の縁部分に設けられる。被服用スナップは、被着相手が布同士であることで、多少の取付位置のズレが起きても、そのズレを許容できる。
【０００３】
また、面同士を互いに固定する取付具には、椅子の座面に対してクッションを着脱自在に取り付けるための構造として第１コネクタ及び第２コネクタを具備するものが知られている（特許文献２）。第１コネクタ及び第２コネクタは、交換時等に、クッションを座面から引っ張ることで、互いが外れてクッションを離脱できるように構成される。
【０００４】
さらに、着脱な構成を家具に用い、例えば扉の開閉の係脱を行う取付具として、ローラーキャッチが知られている（特許文献３）。ローラーキャッチは、扉と家具本体の帆立などとを係止し、扉の閉鎖状態を保持する。このローラーキャッチは、２個並設したローラーを左右外側より圧接してこれら圧接間隙に楔金を介入して係脱を可能としている。
【先行技術文献】
【特許文献】
【０００５】
【特許文献１】実開昭５８−１６４５１２号公報
【特許文献２】特開２００１−２９９４９４号公報
【特許文献３】実開昭４８−２７６５１号公報
【発明の概要】
【発明が解決しようとする課題】
【０００６】
しかしながら、特許文献１の被服用スナップは、板材のような剛性のある部材同士を組み付ける場合に使用するには、寸法誤差が無いように、それぞれの部材（オス部材，メス部材）を高精度に位置決めし固定しなければならない。
また、特許文献２の第１コネクタ及び第２コネクタは、それぞれの部材（座面とクッション）に寸法誤差が生じていると、取り付けられない不具合が発生する。特に第１コネクタ及び第２コネクタは、複数組みで設けられると、各組みの位置誤差、例えば間隔距離の誤差が生じると、全てが一層取り付けにくくなる。このようなことを防ぐために、一方に予め位置出し治具を取り付け、板面同士を合わせ、他方を取り付ける側の部材に凹みを付ける等の位置出しを行う例もあるが、取り付け作業が煩雑となる課題がある。また、経時的に板材側などにゆがみや変形が生じると、ズレが大きくなり、例えば交換時には複数組みの第１コネクタ及び第２コネクタのうち、いずれかの組みが結合不能となる場合がある。
さらに、特許文献３のローラーキャッチは、部品点数が多く、構造が複雑であり、コストも高い課題がある。また、ローラーキャッチは、その形状から、板材などの素材での面同士の結合には不向きであり、特に複数組みで使用した場合に、位置誤差があると、機能しなくなる。このローラーキャッチの場合も、例えば扉に経時的なゆがみや変形が生じると、扉が閉められないなどの不具合が発生する。
【０００７】
本発明は上記状況に鑑みてなされたもので、その目的は、それぞれの被着部材に対するオスメス部材の取付位置精度を緩和でき、しかも、被着部材同士の経時的な変位も吸収できるパネル類の取付具を提供することにある。
【課題を解決するための手段】
【０００８】
次に、上記の課題を解決するための手段を、実施の形態に対応する図面を参照して説明する。
本発明の請求項１記載のパネル類の取付具は、有底筒状の底部２１が一方の被着体の固定面２３に固定され前記底部２１から突出する筒部２５の先端縁から軸線に沿う方向で切り込み形成された複数のスリット２９にて複数分割形成されて前記筒部２５の外周に複数の係止部２７が形成されるオス部材１７と、
有底筒状の底部３７が他方の被着体の固定面２３に固定されるベース部３１と、該ベース部３１の内方であって該ベース部３１の筒状周壁３９に余裕を有して内方空間に収容されるとともに内周に凸条部４５が内周方向に連続して形成され前記オス部材１７の係止部２７が係止する環状のキャッチ部３３と、該キャッチ部３３の本体部３４の周方向の複数箇所から張り出して自由端となる先端が本対外周面から離間するように羽根状に形成されて前記筒状周壁３９の内周面に前記先端が弾接する弾性可撓片４３と、前記係止部２７を受け入れる内穴４７を備え前記ベース部３１に固定される環状のケース部３５と、を具備して、前記ベース部３１と前記ケース部３５とで前記キャッチ部３３を軸線に直交方向の変位を自在に保持するメス部材１９と、
を備えることを特徴とする。
【０００９】
このパネル類の取付具では、一方の被着体の固定面２３に、オス部材１７が固定され、他方の被着体の固定面２３に、メス部材１９が固定される。オス部材１７とメス部材１９とは、互いに係止・係止解除可能となって嵌合する。オス部材１７は、一方の被着体に固定される底部２１から突出する筒部２５を有し、この筒部２５の外周に係止部２７が形成される。係止部２７は、筒部２５の全周囲に連続して形成されてもよく、所定間隔で複数が形成されてもよい。
メス部材１９は、ベース部３１と、キャッチ部３３と、ケース部３５とから組み立てられる。ベース部３１は、有底筒状の底部３７が他方の被着体の固定面２３に固定される。キャッチ部３３は、環状に形成され、ベース部３１の筒状周壁３９の内方に配置される。キャッチ部３３の周方向の複数箇所からは、弾性可撓片４３が張り出して形成される。これら弾性可撓片４３は、先端がベース部３１における筒状周壁３９の内周面に接触する。これにより、キャッチ部３３は、ベース部３１の筒状周壁３９において、ほぼ同軸に配置される。キャッチ部３３は、弾性可撓片４３が弾性変形することにより、筒状周壁３９の内方空間においてベース部３１と偏芯した位置に移動が可能となる。このキャッチ部３３の内周には、オス部材１７の筒部２５の外周に形成された係止部２７に外側から係止する凸条部４５が形成される。つまり、環状に形成されたキャッチ部３３の内周に挿入したオス部材１７は、筒部２５の係止部２７が凸条部４５に係止することにより、キャッチ部３３に解除可能となって係止する。このキャッチ部３３は、ベース部３１に固定されるケース部３５により、ベース部３１とケース部３５との間で移動自在となって保持される。ケース部３５は、オス部材１７の筒部２５を受け入れる内穴４７を備える。すなわち、オス部材１７は、ケース部３５の内穴４７から進入して、キャッチ部３３の凸条部４５に係止部２７を係止する。
ここで、キャッチ部３３は、上記のように、ベース部３１の筒状周壁３９の内方空間において偏芯した位置に移動が可能となっているので、ベース部３１の固定位置と、オス部材１７の固定位置とにズレｄが生じていても、この移動が可能な範囲でズレｄを吸収して相互の嵌合が可能となる。これにより、それぞれの被着部材に対するオス部材１７、メス部材１９の取付位置精度を緩和できる。その結果、緩和された取付精度での施工においても、オスメス部材を確実に嵌合させることができるようになり、不完全嵌合による取付対象物（一方の被着体または他方の被着体）の脱落を抑制することができる。
また、オス部材１７に係合状態となったキャッチ部３３は、ベース部３１の内方空間において偏芯した位置へ移動が可能となるので、被着体同士が結合された後、一方の被着体と他方の被着体とが相対変位しても、キャッチ部３３が移動可能となる範囲で相対変位を吸収することができる。その結果、長期の使用において、一方の被着体や他方の被着体に反り、ねじれや歪みが生じても、取付具１５の機能を維持することができる。
【００１０】
また、本発明パネル類の取付具は、請求項１に記載のパネル類の取付具において、
前記オス部材６１と前記メス部材６３とが、前記固定面２３に垂直な方向から見た正面視において矩形状に形成され、
前記弾性可撓片４３が、前記キャッチ部６７の上下面及び左右側面のそれぞれに設けられていることとしてもよい。
【００１１】
このパネル類の取付具では、オス部材６１とメス部材６３とが、固定面２３に垂直な方向から見た正面視において矩形状に形成される。矩形状は、短辺が被着体である例えば板材の厚み方向の長さよりも小さく、長辺がこの板材の厚みが見える端面の延在方向よりも小さくできる。これにより、取付具５５は、この板材の端面に取り付けることができ、板材の端面同士を突き合わせて接合することも可能となる。
【００１２】
本発明の請求項２記載のパネル類の取付具は、請求項１記載のパネル類の取付具であって、
前記メス部材６３が、前記他方の被着体の固定面２３に面一となって埋め込まれることを特徴とする。
【００１３】
このパネル類の取付具では、メス部材６３が、他方の被着体の固定面２３に面一となって埋め込まれる。従って、メス部材６３が埋め込まれた固定面２３には、ケース部６９の内穴４７が固定面２３と同一平面上で開口する。これにより、家具などの構造体に構成させる際に、扉５７が閉まる方立て５９や枠部にメス部材６３を埋め込み、扉５７の戸先の対向面にオス部材６１を固定することにより、扉５７を隙間なく方立て５９や枠部に当てて閉扉することが可能となる。
【発明の効果】
【００１４】
本発明に係る請求項１記載のパネル類の取付具によれば、それぞれの被着部材に対するオスメス部材の取付位置精度を緩和でき、しかも、相互に固定される被着部材同士の経時的な相対変位も吸収できる。
【００１５】
本発明に係る請求項２記載のパネル類の取付具によれば、細長形状にすることで、扉の木口等、板の厚み内に組み付けることができるようになる。
【００１６】
本発明に係る請求項３記載のパネル類の取付具によれば、メス部材を他方の被着体に面一で埋め込むことにより、家具等に使用した場合に目立たなくでき、見栄えをよくすることができる。
【図面の簡単な説明】
【００１７】
【図１】本発明の実施形態に係るパネル類の取付具を使用して躯体に取り付けられるパネルの分解斜視図である。
【図２】図１に示したパネル類の取付具の分解斜視図である。
【図３】オス部材の正面図である。
【図４】キャッチ部の正面図である。
【図５】嵌合された取付具をオス部材側から見た正面図である。
【図６】図５のＡ−Ａ断面図である。
【図７】パネル類の取付具の分解側断面図である。
【図８】（ａ）はオス部材の取り付け前の側断面図、（ｂ）はオス部材の取り付け後の側断面図である。
【図９】（ａ）はメス部材の取り付け前の側断面図、（ｂ）は組付けが完了したメス部材の側断面図である。
【図１０】（ａ）はオス部材とメス部材の取付位置にズレが生じている取付具の分解側断面図、（ｂ）は（ａ）の嵌合状態の側断面図である。
【図１１】（ａ）はベース部の取り付け前の側断面図、（ｂ）はキャッチ部の収容前の側断面図、（ｃ）はケース部の固定前の側断面図、（ｄ）は組付けが完了した取付具の側断面図である。
【図１２】（ａ）はメス部材の凹部への取り付け前の側断面図、（ｂ）はメス部材の固定前の側断面図、（ｃ）は凹部への固定が完了したメス部材の側断面図である。
【図１３】（ａ）は凹部に収められたベース部の側断面図、（ｂ）は凹部に収められたメス部材の側断面図である。
【図１４】矩形状に形成された他の実施形態に係る取付具が扉と方立てに渡って取り付けられる例を表す分解斜視図である。
【図１５】（ａ）は図１４に示した取付具の分解側断面図、（ｂ）は取付具の分解平断面図である。
【図１６】（ａ）は取付具の分解側断面図、（ｂ）は取付具の分解平断面図である。
【図１７】オス部材とメス部材の嵌合前の側断面図である。
【図１８】（ａ）はオス部材とメス部材の取付位置にズレが生じている取付具の分解平断面図、（ｂ）は（ａ）の嵌合状態の平断面図である。
【図１９】取付具の他の実施形態に係るキャッチ部の形状例の正面図である。
【図２０】同他の実施形態に係るパネル類の取付具の分解斜視図である。
【図２１】オス部材とメス部材の取付位置にズレが生じている取付具の嵌合状態の正面図である。
【図２２】取付具の他の実施形態に係るキャッチ部の形状例の正面図である。
【発明を実施するための形態】
【００１８】
以下、本発明に係る実施形態を図面を参照して説明する。
図１は、本発明の実施形態に係るパネル類の取付具を使用して躯体１１に取り付けられるパネル１３の分解斜視図である。
本実施形態に係るパネル類の取付具は、一方の被着体であるパネル１３を、他方の被着体である躯体１１に取り付ける場合に用いることができる。取付具１５は、例えば方形状のパネル１３を建物等の構造体としての躯体１１に取り付ける場合、各辺に沿って複数個（図例では６個）が設けられる。なお、取付具１５が固定される被着体の種類、取付具１５の数はこれに限定されるものではなく、例えば躯体１１に、複数のパネル１３を並設させるたり、湾曲面よりなる躯体１１に、湾曲したパネル１３を組み付けるなど種々の構成としてもよい。
【００１９】
図２は、図１に示したパネル類の取付具の分解斜視図である。
取付具１５は、オス部材１７と、メス部材１９とからなる。
【００２０】
オス部材１７は、有底筒状に形成される。オス部材１７は、底部２１がパネル１３の固定面２３に固定される。オス部材１７は、底部２１から突出する筒部２５の外周に、係止部２７が形成される。係止部２７は、筒部２５の外周から爪状に突出した断面形状で形成される。係止部２７は、底部２１と反対側の筒部２５の先端縁から軸線に沿う方向で切り込まれた複数、例えば５つのスリット２９により複数、例えば５つに分割されている。また、底部２１にはビス穴４１が穿設される。
【００２１】
メス部材１９は、ベース部３１と、キャッチ部３３と、ケース部３５とからなる。
【００２２】
ベース部３１は、円形の底部３７に、筒状周壁３９が起立した有底筒状に形成される。底部３７には、オス部材１７と同様にビス穴４１が穿設される。ベース部３１は、底部３７が、ビス穴４１に挿通されたビスにより躯体１１の固定面２３に固定される。
【００２３】
キャッチ部３３は、本体部３４がベース部３１の筒状周壁３９に余裕を有して収容されるように、筒状周壁３９よりも外径が小さい環状に形成される。キャッチ部３３は、筒状周壁３９の内方に、本体部３４の周方向の複数箇所から張り出した弾性可撓片４３を接触させて配置される。環状のキャッチ部３３の内周には、オス部材１７の係止部２７が係止する凸条部４５が内周方向に連続して形成される。
【００２４】
ケース部３５は、キャッチ部３３を挟んでベース部３１の反対側に配置される。ケース部３５は、キャッチ部３３の外径よりも内径の大きい有底筒状に形成される。ケース部３５は、オス部材１７の係止部２７を受け入れる内穴４７を備える。ケース部３５は、ベース部３１の外周に爪片（図示せず）や接着剤等により筒状のケース側壁４９が固定される。
【００２５】
メス部材１９は、ベース部３１とケース部３５とにより、キャッチ部３３を変位自在に保持する。キャッチ部３３の変位方向は、ベース部３１とケース部３５の共通の軸線から偏芯する方向となる。つまり、キャッチ部３３は、ベース部３１の筒状周壁３９の内方において、軸線に直交する平面方向に変位可能となっている。
【００２６】
図３は、オス部材１７の正面図、図４は、キャッチ部３３の正面図である。
オス部材１７は、底部２１に穿設されたビス穴４１を中心に、上記したように５つのスリット２９が放射方向に形成される。これにより、５つの各係止部２７は、容易に弾性変形が可能となっている。キャッチ部３３の本体部３４から張り出す弾性可撓片４３は、基端が本体部３４に接続されて張り出し方向先端が自由端となる。この張り出し方向は、ケース部３５からベース部３１に向かって拡径する方向に傾斜する。キャッチ部３３は、この自由端が、ベース部３１の筒状周壁３９の内周面に当接することにより、偏芯可能となってベース部３１及びケース部３５に同軸に配置される。取付具１５は、この偏芯範囲が、オス部材１７とメス部材１９の誤差吸収範囲となる。
【００２７】
図５は、嵌合された取付具１５をオス部材側から見た正面図である。
嵌合された取付具１５は、オス部材側から見た場合、中心に固定ビス５１が位置する。固定ビス５１の周囲には、オス部材１７の底部２１が位置する。オス部材１７の底部２１の周囲には、キャッチ部３３の内周に形成されたテーパ面５２が位置する。テーパ面５２は、オス部材１７の底部２１に向かって徐々に縮径されることにより、オス部材１７のキャッチ部３３に対する進入を円滑にガイドする。テーパ面５２の外周にはケース部３５の内穴４７が位置する。つまり、ケース部３５の内穴４７は、固定ビス５１，底部２１及びテーパ面５２を表出させる。
【００２８】
本実施形態の取付具１５は、メス部材１９のケース部３５の外周に、リブ５３が円周方向に等間隔で複数形成されている（図２，５参照）。リブ５３は、ケース部３５の軸線に沿う方向の線状の凸条で形成される。リブ５３は、ケース部３５の外周から微小量ｈで突出する。リブ５３は、例えば３本が一組で複数組が形成される。本実施形態では、４組のリブ５３が、ケース部３５の外周に等間隔で配置される。このリブ５３は、メス部材１９が被着体に埋め込まれて使用される時の隙間に圧入されて弾性変形する。すなわち、リブ５３は、メス部材１９が埋め込み使用される際の抜け止め及び回転止めとして働く。リブ５３は、ケース部３５の外周から微小量ｈで突出することにより、メス部材１９が埋め込み使用されない場合であっても外観を損ねることがなく、メス部材１９のケース部材３５を摘み易くしており施工性を向上させる。
【００２９】
図６は、図５のＡ−Ａ断面図である。
取付具１５は、躯体１１に固定されたメス部材１９に、パネル１３に固定されたオス部材１７が嵌合することにより、パネル１３を離脱可能に躯体１１に取り付ける。メス部材１９とオス部材１７が嵌合した取付具１５は、オス部材１７の係止部２７が、メス部材１９におけるキャッチ部３３の凸条部４５に内周側から係止することにより離脱が規制される。この嵌合状態において、オス部材１７を係止したキャッチ部３３は、弾性可撓片４３が筒状周壁３９の内周面に弾接して軸線に直交方向の変位が可能となる。すなわち、躯体１１とパネル１３とは、弾性可撓片４３が変形して筒状周壁３９の内方でキャッチ部３３が移動可能となる範囲で、相対的な変位が吸収可能となって取り付けられる。
【００３０】
図７は、パネル類の取付具の分解側断面図である。
メス部材１９のベース部３１は、底部３７から筒状周壁３９が起立したキャップ形状に形成される。筒状周壁３９は、キャッチ部３３の弾性可撓片４３の受け部となる。メス部材１９は、このベース部３１の底部３７が固定ビス５１により躯体１１に固定される。
【００３１】
メス部材１９のキャッチ部３３は、本体部３４の内周にテーパ面５２が形成され、その最小内径部の反対側が凸条部４５となる。テーパ面５２の最小内径部と凸条部４５とは、キャッチ部３３の内周方向に連続して形成される。これにより、キャッチ部３３は、オス部材１７との相対回転が可能となる。また、キャッチ部３３は、弾性可撓片４３がベース部３１の筒状周壁３９に当接して周方向に摺動するので、これによってもベース部３１と相対回転が可能となる。
【００３２】
ケース部３５は、ベース部３１とでキャッチ部３３を挟んで保持する。ベース部３１に設けられた内穴４７は、キャッチ部３３の外周よりも小径で形成される。従って、ケース部３５の内方で変位したキャッチ部３３は、任意の変位方向においてもケース部３５の内穴４７から抜け出ることはない。なお、ケース部３５は、ベース部３１の筒状周壁３９の外周に、圧入、係止構造、接着、溶着、或いは螺合等により固定される。
【００３３】
オス部材１７は、底部２１にビス穴４１が穿設される。オス部材１７は、底部２１と反対側の筒状開口外周に係止部２７が外向きに突出する。オス部材１７は、係止部２７の設けられる筒部２５の外径が、ケース部３５の内穴４７より十分に小さく形成される。つまり、オス部材１７とメス部材１９とは、この筒部２５が内穴４７の内方で移動する範囲で誤差の吸収が可能となる。
【００３４】
次に、取付具１５の取り付け手順を説明する。
【００３５】
図８（ａ）は、オス部材１７の取り付け前の側断面図、図８（ｂ）は、オス部材１７の取り付け後の側断面図である。
取付具１５を取り付けるには、まず、図８（ａ）に示すように、オス部材１７がパネル１３の所定位置に位置決めされる。次いで、図８（ｂ）に示すように、オス部材１７は、底部２１のビス穴４１に挿通された固定ビス５１によりパネル１３の固定面２３に固定される。
【００３６】
図９（ａ）は、メス部材の取り付け前の側断面図、図９（ｂ）は組付けが完了したメス部材の側断面図である。
メス部材１９は、ベース部３１，キャッチ部３３，ケース部３５を予め組み付けた状態とされる。キャッチ部３３がケース部３５とベース部３１との内部に装着された状態で、ケース部３５は、ベース部３１の筒状周壁３９の外周面に内周が嵌合して接着剤、特殊溶接（例えば加熱やレーザー，超音波）等により固定される。
メス部材１９は、オス部材１７の固定されたパネル１３の位置に対応する躯体１１の位置に位置決めされる。そして、ベース部３１の底部３７のビス穴４１に挿通された固定ビス５１により躯体１１の固定面２３に固定される。
これにより、オス部材１７とメス部材１９の双方の取り付けが完了する。
【００３７】
次に、上記した構成の作用を説明する。
【００３８】
本実施形態に係るパネル類の取付具では、パネル１３の固定面２３に、オス部材１７が固定され、躯体１１の固定面２３に、メス部材１９が固定される。オス部材１７とメス部材１９とは、互いに係止・係止解除可能となって嵌合する。オス部材１７は、パネル１３に固定される底部２１から突出する筒部２５を有し、この筒部２５の外周に係止部２７が形成される。
【００３９】
メス部材１９は、ベース部３１と、キャッチ部３３と、ケース部３５とから組み立てられる。ベース部３１は、有底筒状の底部３７が躯体１１の固定面２３に固定される。キャッチ部３３は、環状に形成され、ベース部３１の筒状周壁３９の内方に配置される。
【００４０】
キャッチ部３３の周方向の複数箇所からは、弾性可撓片４３が張り出して形成される。これら弾性可撓片４３は、先端がベース部３１における筒状周壁３９の内周面に接触する。これにより、キャッチ部３３は、ベース部３１の筒状周壁３９において、ほぼ同軸に配置される。
【００４１】
キャッチ部３３は、弾性可撓片４３が弾性変形することにより、筒状周壁３９の内方空間においてベース部３１と偏芯した位置に移動が可能となる。このキャッチ部３３の内周には、オス部材１７の筒部２５の外周に形成された係止部２７に外側から係止する凸条部４５が形成される。つまり、環状に形成されたキャッチ部３３の内周に挿入したオス部材１７は、筒部２５の係止部２７が凸条部４５に係止することにより、キャッチ部３３に解除可能となって係止する（図６参照）。
【００４２】
このキャッチ部３３は、ベース部３１に固定されるケース部３５により、ベース部３１とケース部３５との間で移動自在となって保持される。ケース部３５は、オス部材１７の筒部２５を受け入れる内穴４７を備える。すなわち、オス部材１７は、ケース部３５の内穴４７から進入して、キャッチ部３３の凸条部４５に係止部２７を係止する。
【００４３】
図１０（ａ）は、オス部材１７とメス部材１９の取付位置にズレｄが生じている取付具１５の分解側断面図、図１０（ｂ）は、（ａ）の嵌合状態の側断面図である。
ここで、キャッチ部３３は、上記のように、ベース部３１の筒状周壁３９の内方空間において偏芯した位置に移動が可能となっているので、ベース部３１の固定位置と、オス部材１７の固定位置とにズレｄが生じていても、この移動が可能な範囲でズレｄを吸収して相互の嵌合が可能となる。これにより、それぞれの被着部材、すなわち躯体１１とパネル１３とに対するオス部材１７、メス部材１９の取付位置精度を緩和できる。その結果、緩和された取付精度での施工においても、オスメス両部材１７，１９を確実に嵌合させることができるようになり、不完全嵌合による取付対象物（一方の被着体または他方の被着体）の脱落等を抑制することができる。
【００４４】
また、オス部材１７に係合状態となったキャッチ部３３は、ベース部３１の内方空間において偏芯した位置へ移動が可能となるので、被着体同士が結合された後、パネル１３と躯体１１とが相対変位しても、キャッチ部３３が移動可能となる範囲で相対変位を吸収することができる。その結果、長期の使用において、パネル１３や躯体１１に反り、ねじれや歪み、伸びや縮みが生じても、取付具１５の機能、すなわち互いの係合状態を維持することができる。
【００４５】
図１１（ａ）は、ベース部３１の取り付け前の側断面図、図１１（ｂ）は、キャッチ部３３の収容前の側断面図、図１１（ｃ）は、ケース部３５の固定前の側断面図、図１１（ｄ）は、組付けが完了した取付具１５の側断面図である。
なお、メス部材１９は、上記したようにベース部３１，キャッチ部３３，ケース部３５が予め組み立てられた状態で固定ビス５１によって固定される手順、すなわちメス部材１９としてこれを固定する手順の他に、各部を個別に、先ずベース部３１を固定ビス５１にて固定し、その後各部を組み立てて取り付ける手順としてもよい。
メス部材１９は、まず、ベース部３１が、図１１（ａ）に示すように、オス部材１７の固定されたパネル１３の位置に対応する躯体１１の位置に位置決めされる。図１１（ｂ）に示すように、ベース部３１は、底部３７のビス穴４１に挿通された固定ビス５１により躯体１１の固定面２３に固定される。躯体１１に固定されたベース部３１には、キャッチ部３３が筒状周壁３９の内方に挿入される。図１１（ｃ）に示すように、キャッチ部３３を収容したベース部３１には、ケース部３５が固定される。図１１（ｄ）に示すように、ケース部３５は、ベース部３１の筒状周壁３９の外周面に内周が嵌合して接着剤等により固定される。
【００４６】
図１２（ａ）は、メス部材の凹部への取り付け前の側断面図、（ｂ）はメス部材の固定前の側断面図、（ｃ）は凹部への固定が完了したメス部材の側断面図である。
なお、メス部材１９は、躯体１１に凹設された凹部７１に、固定することができる。凹部７１へは、図１２（ａ）に示すように先ずメス部材１９を嵌入させる。このとき、上記したようにケース部３５の外周にはリブ５３が複数形成されていることから、このリブ５３が凹部７１の内周面に食い込み、メス部材１９を埋め込み使用される際の抜け止め及び回転止めとして働く。その後、図１２（ｂ）に示すように固定ビス５１にて固定し、図１２（ｃ）に示すように、メス部材１９は凹部７１内に固定されて、その表面が躯体１１の表面２３と面一となる。
【００４７】
図１３（ａ）は、凹部７１に収められたベース部３１の側断面図、図１３（ｂ）は、凹部７１に収められたメス部材１９の側断面図である。
また、メス部材１９は、躯体１１に凹設された凹部７１に、ベース部３１を先ず固定することができる。凹部７１に固定されたベース部３１には、キャッチ部３３が収容される。ベース部３１には、キャッチ部３３を挟んでケース部３５が固定される。ベース部３１に固定されて凹部７１に嵌合したケース部３５は、内穴４７の開口する表面が躯体１１の表面２３と面一となる。
【００４８】
次に、他の実施形態に係るパネル類の取付具を説明する。
【００４９】
図１４は、矩形状に形成された他の実施形態に係る取付具５５が扉５７と方立て５９に渡って取り付けられる例を表す分解斜視図である。なお、この他の実施形態においては、上記した実施形態と同等の部材・部位に同一の符号を付し重複する説明は省略する。
他の実施形態に係るパネル類の取付具は、一方の被着体である扉５７を、他方の被着体である例えば家具本体を構成する方立て５９に取り付ける場合に用いることができる。
【００５０】
取付具５５は、オス部材６１とメス部材６３とが、固定面２３に垂直な方向から見た正面視において矩形状に形成される。取付具５５は、メス部材６３が方立て５９に取り付けられる場合、縦長で使用される。縦長の縦横比は、例えば３：１から４：１程度に設定される。メス部材６３は、ベース部６５（図１５）、キャッチ部６７及びケース部６９が矩形状に形成される。
【００５１】
また、他の実施形態に係るパネル類の取付具は、メス部材６３が、方立て５９の固定面２３に面一となって埋め込まれる。この場合、方立て５９は、家具等を構成する箱体部分の側壁における端面や開口枠の縦枠材、所謂木口面となる。
メス部材６３は、方立て５９の固定面２３に凹設された凹部７１に、ベース部６５を固定され、キャッチ部６７を収容して、このキャッチ部６７を挟んでケース部６９が固定される。ベース部６５に固定されて凹部７１に嵌合したケース部６９は、内穴４７の開口する表面が方立て５９の表面２３と面一となる。本実施形態では、縦長に構成されることから、ベース部６５を固定するためのビス穴４１を、上述した実施形態のように中央に配置できないことから、長手方向の両端、図において上下の位置に設けており、方立て５９に対し２本の固定ビス５１で固定する。同様にオス部材６１も縦長で構成されることで、上下２カ所にビス穴４１が設けられる。
なお、取付具５５は、メス部材６３が凹部７１に埋め込まれず、方立て５９の固定面２３に突出した状態に固定されても勿論よい（図１７参照）。
【００５２】
図１５（ａ）は、取付具５５の側断面図、図１５（ｂ）は、取付具５５の平断面図である。図１６（ａ）は、取付具５５の分解側断面図、図１６（ｂ）は、取付具５５の分解平断面図である。
取付具５５のメス部材６３は、ベース部６５が平板状に形成される。キャッチ部６７は、このベース部６５の表面に摺動自在に配置される。ケース部６９は、上下端に、固定ビス挿入部７３が形成される。ケース部６９は、上下の固定ビス挿入部７３の間に、キャッチ部６７を収容する保持空間部７０が形成される。保持空間部７０は、キャッチ部６７の縦寸法、横寸法よりも大きく形成される。従って、キャッチ部６７は、保持空間部７０において、上下左右に移動が可能となっている。キャッチ部６７は、上下面及び左右側面のそれぞれに弾性可撓片４３を有している。弾性可撓片４３は、ケース部６９の内壁面に当接する。そして、このメス部材６３は、図１５に示すように、方立て５９の固定面２３に凹設された凹部７１内に固定され、或いは図１６に示すように、方立て５９の固定面２３に固定される。
【００５３】
オス部材６１は、フランジ部７５の中央に、上下に延在する角筒部が形成される。角筒部は、縦方向にスリットが切り込まれることにより、一対の平行な係合壁部７７として形成される。それぞれの係合壁部７７の突出先端には、係止部２７が外側に突出して形成される。この係止部２７は、キャッチ部６７の凸条部４５に係止する。オス部材６１は、フランジ部７５の上下に穿設されたビス穴４１に固定ビス５１が挿通されて扉５７の固定面２３に固定される。
【００５４】
図１７は、オス部材６１とメス部材６３の嵌合前の側断面図である。
取付具５５は、扉５７に固定されたオス部材６１が、方立て５９に固定されたメス部材６３に嵌合される。取付具５５は、オス部材６１の係合壁部７７がキャッチ部６７の凸条部４５に係止することにより脱着が可能に固定される。これにより、扉５７は、取付具５５を介して方立て５９に脱着可能に接合される。
【００５５】
次に、他の実施形態に係る構成の作用を説明する。
【００５６】
図１８（ａ）は、オス部材６１とメス部材６３の取付位置にズレｄが生じている取付具５５の分解平断面図、図１８（ｂ）は、（ａ）の嵌合状態の平断面図である。
他の実施形態に係るパネル類の取付具において、キャッチ部６７は、上記のように、ベース部６５の筒状周壁３９の内方空間において偏芯した位置に移動が可能となっているので、ベース部６５の固定位置と、オス部材６１の固定位置とにズレｄが生じていても、この移動が可能な範囲でズレｄを吸収して相互の嵌合が可能となる。これにより、それぞれの被着部材である扉５７と方立て５９とに対するオス部材６１、メス部材６３の取付位置精度を緩和できる。その結果、緩和された取付精度での施工においても、オスメス両部材６１，６３を確実に嵌合させることができるようになり、不完全嵌合による取付対象物（一方の被着体または他方の被着体）の脱落を抑制することができる。
【００５７】
また、オス部材６１に係合状態となったキャッチ部６７は、ベース部６５の内方空間において偏芯した位置へ移動が可能となるので、被着体同士が結合された後、扉５７と方立て５９とが相対変位しても、キャッチ部６７が移動可能となる範囲で相対変位を吸収することができる。その結果、長期の使用において、扉５７や方立て５９に反り、ねじれや歪みが生じても、或いは扉５７の吊元である蝶番に歪みが生じても、取付具５５の機能、すなわち、互いの着脱自在、扉の閉鎖時の係止可能な機能を維持することができる。
【００５８】
これに加え、このパネル類の取付具では、オス部材６１とメス部材６３とが、固定面２３に垂直な方向から見た正面視において矩形状に形成される。矩形状は、短辺が被着体である例えば板材の厚み方向の長さよりも小さく、長辺がこの板材の厚みが見える端面の延在方向よりも小さくできる。これにより、取付具５５は、この板材の端面に取り付けることができ、板材の端面同士を突き合わせて接合することも可能となる。その結果、細長形状にすることで、扉５７の木口等、板の厚み内に組み付けることができるようになる。
【００５９】
また、このパネル類の取付具では、メス部材６３が、他方の被着体の固定面２３に面一となって埋め込まれる構成とすることができる（図１４，１５参照）。従って、メス部材６３が埋め込まれた固定面２３には、ケース部６９の内穴４７が固定面２３と同一平面上で開口する。これにより、扉５７が閉まる方立て５９や枠部にメス部材６３を埋め込み、扉５７の戸先の対向面にオス部材１７を固定することにより、扉５７を隙間なく方立て５９や枠部に当てて閉扉することが可能となる。その結果、メス部材６３を他方の被着体に面一で埋め込むことにより、家具等に使用した場合に目立たなくでき、見栄えをよくすることができる。
【００６０】
なお、上記実施形態においては、メス部材１９を構成するキャッチ部３３の弾性可撓片４３の形状を、本体部３４からの張り出し構造をケース部３５からベース部３１に向かって拡径する方向に傾斜した形状として説明したが、この弾性可撓片の形状は、キャッチ部３３とベース部３１の筒状周壁３９内周面またはケース部３５のケース側壁４９内周面との間に構成され変形可能となる形状であれば、他の形状にて構成されることとしてもよく、例えば、図１９に示すように、自由端となる先端が本体部外周面から離間するように外方向に向く羽根状に形成される弾性可撓片４３Ａとしてもよい。この図１９に示す弾性可撓片４３Ａは、湾曲して形成され、キャッチ部３３Ａの本体部３４から外周面に沿って張り出し、湾曲面を筒状周壁３９の内周面に当接状態となる。また、図２０に示すように、このキャッチ部３３Ａは、図２を用いて説明した前述の実施形態と同様に、ベース部３１ケース部３５とでメス部材１９を構成している。なお、上述した実施形態と同等の部材・部位に同一の符号を付し重複する説明は省略する。
【００６１】
図２１に示すように、オス部材１７とメス部材１９との取付位置にズレｄが生じた際には、キャッチ部３３Ａの弾性可撓片４３Ａがそれぞれ図中矢線の方向に撓み、変形して、各弾性可撓片４３Ａの先端側が内周面を滑り、ズレｄを吸収して相互の嵌合が可能となる。これにより、それぞれの被着部材に対するオス部材１７、メス部材１９の取付位置精度を緩和できる。その結果、緩和された取付精度での施工においても、オスメス両部材１７，１９を確実に嵌合させることができるようになり、不完全嵌合による取付対象物（一方の被着体または他方の被着体）の脱落を抑制することができる。
【００６２】
また、上述した羽根状の弾性可撓片４３Ａの形状としては、図２２に示すように平板状に突出して形成される弾性可撓片４３Ｂとし、キャッチ部３３Ｂを構成してもよい。この場合においても、弾性可撓片４３Ｂの先端がベース部３１の筒状周壁３９の内周面またはケース部３５のケース側壁４９の内周面に当接し、偏芯可能となって配置される。
【００６３】
従って、本実施形態に係るパネル類の取付具によれば、それぞれの被着部材に対するオスメス両部材の取付位置精度を緩和でき、しかも、相互に固定される被着部材同士の経時的な相対変位も吸収できる。
【符号の説明】
【００６４】
１１…他方の被着体（躯体）
１３…一方の被着体（パネル）
１５…取付具
１７…オス部材
１９…メス部材
２１…底部
２３…固定面
２５…筒部
２７…係止部
３１…ベース部
３３…キャッチ部
３５…ケース部
４３…弾性可撓片
４５…凸条部
４７…内穴
５５…取付具
５７…一方の被着体（扉）
５９…他方の被着体（方立て）
６１…オス部材
６３…メス部材
６５…ベース部
６７…キャッチ部
６９…ケース部
【要約】
【課題】それぞれの被着部材に対するオスメス部材の取付位置精度を緩和でき、しかも、被着部材同士の経時的な変位も吸収できるパネル類の取付具を提供する。
【解決手段】パネル類の取付具１５において、有底筒状の底部２１が一方の被着体の固定面に固定され底部２１から突出する筒部２５の外周に係止部２７が形成されるオス部材１７と、有底筒状の底部３７が他方の被着体の固定面に固定されるベース部３１の内方に、周方向の複数箇所から張り出した弾性可撓片４３を接触させて配置され係止部２７が係止する凸条部４５が内周に形成される環状のキャッチ部３３を有するとともに、係止部２７を受け入れる内穴４７を備えた環状のケース部３５を有し、ベース部３１とケース部３５とでキャッチ部３３を変位自在に保持するメス部材１９と、を備える。
【選択図】  図２【図１】
0006843943.tif 000002
【図２】
0006843943.tif 000003
【図３】
0006843943.tif 000004
【図４】
0006843943.tif 000005
【図５】
0006843943.tif 000006
【図６】
0006843943.tif 000007
【図７】
0006843943.tif 000008
【図８】
0006843943.tif 000009
【図９】
0006843943.tif 000010
【図１０】
0006843943.tif 000011
【図１１】
0006843943.tif 000012
【図１２】
0006843943.tif 000013
【図１３】
0006843943.tif 000014
【図１４】
0006843943.tif 000015
【図１５】
0006843943.tif 000016
【図１６】
0006843943.tif 000017
【図１７】
0006843943.tif 000018
【図１８】
0006843943.tif 000019
【図１９】
0006843943.tif 000020
【図２０】
0006843943.tif 000021
【図２１】
0006843943.tif 000022
【図２２】
0006843943.tif 000023